(57)【要約】  【課題】扉を開くとき、部品点数を増やすことなく、かつガスケットを特別な形状にすることなく、小さな力で開けることができ、使い勝手の良い冷蔵庫を提供する。  【解決手段】ハンドル２０と連動した押下げレバー２４がガスケット２３のマグネット挿入部２６を押し下げ、そのマグネット挿入部２６を押えることでガスケット２３を変形させ、マグネット挿入部２６がねじられながら変形してマグネット２２が上部端面から徐々に斜めに引っ張られ、ガスケット２３と冷蔵庫本体７の間に隙間が形成される。これにより、貯蔵室内に空気を侵入させ、開扉力を減少させるものであり、ガスケットを複雑な形状にすることなく、扉を開ける際に、庫外の空気を庫内に侵入させて、庫内の圧力を上昇させ、扉を小さな力で開けることができる。【選択図】図２
2007178075.tif 000002
【特許請求の範囲】
【請求項１】
貯蔵室の前面に断熱扉を有する冷蔵庫において、前記扉のハンドルに前記ハンドルと連結した押下げレバーを設け、前記ハンドルを可動可能とするとともに、開扉時に前記ハンドルの可動と連動する前記押下げレバーが前記扉の周縁に備えたガスケットを部分的に変形させることで、貯蔵室内に空気を侵入させ、開扉力を減少させることを特徴とする冷蔵庫。
【請求項２】
ガスケットは袋部とマグネットを備え、前記押下げレバーは扉開放時に前記ガスケットの袋部を引っ掛け、前記ガスケットを変形させると同時に、前記マグネットをねじりながら本体側から離すことを特徴とする請求項１に記載の冷蔵庫。
【発明の詳細な説明】
【技術分野】
【０００１】
本発明は、冷蔵庫の扉の開扉力低減に関するものである。
【背景技術】
【０００２】
従来、この種の冷蔵庫は冷蔵庫本体の前面開口部は回転自在な扉または引き出し式の扉で開閉自在に使用されている。このような冷蔵庫において扉を開いた後閉じると、冷蔵庫本体に侵入した暖かい空気が急激に冷却され、庫内の圧力が低下し、負圧となる。そして、再度この扉を開けようとしても、大気圧が扉にかかっているので、開けるのに非常に大きな力を要したり、また開かなかったりする。
【０００３】
そこで、ハンドルとガスケットを連結部材により連動可能に連結させて、扉を開ける際に庫外の空気を庫内に侵入させて、庫内の圧力を上昇させ、扉を小さな力で開けることができる構造としていた（例えば、特許文献１参照）。
【０００４】
図５は特許文献１に記載された従来の冷蔵庫のハンドル部の平面断面図を示すものである。図５に示すように，扉１は扉枠２と扉外板３とハンドル４とガスケット５と連結部材６とで構成されている。ガスケット５は空気クッション室５ａと冷蔵庫本体７に当接している当接部８を備えている。
【０００５】
本構成により、扉１を開ける際に、ハンドル４を手前に引っ張るとその変位量にともなって連結部材６を介してガスケット５の当接部８が扉枠２側に引っ張られ、ガスケット５が変形し、冷蔵庫本体７との間に隙間ができる。その結果扉１を小さな力で開けることができるというものである。
【特許文献１】特開平９−２５７３６０号公報
【発明の開示】
【発明が解決しようとする課題】
【０００６】
しかしながら、上記従来の構成ではガスケットとハンドルを連動可能に連結させるには部品構成が複雑になるという課題を有していた。また、ガスケットの形状も複雑になり今の成型方法では作成できず、部分的な専用化や後加工による工数増加等によりコストが高くなるという課題も有していた。
【０００７】
本発明は、上記従来の課題を解決するもので、扉を開ける際に、庫外の空気を庫内に侵入させて、庫内の圧力を上昇させ、扉を小さな力で開けることができる冷蔵庫を提供するものである。また、マグネットの引き付け力を徐々に解除することで扉を小さな力で開けることができる冷蔵庫を提供するものである。さらに、引き出し扉に本機構を設けることで、開扉時に運動量の少ない冷蔵庫を提供するものである。
【課題を解決するための手段】
【０００８】
上記従来の課題を解決するために、本発明の冷蔵庫は、ハンドルと連動可能に連結させた押下げレバーを設け、前記ハンドルを可動可能とするとともに、開扉時に前記ハンドルの可動と連動する押下げレバーが前記扉の周縁に備えたガスケットを部分的に変形させることで、貯蔵室内に空気を侵入させ、開扉力を減少させるものである。
【０００９】
これによって、ガスケットを複雑な形状にすることなく、扉を開ける際に、庫外の空気を庫内に侵入させることができ、庫内の圧力を上昇させることができる。
【発明の効果】
【００１０】
本発明の冷蔵庫はガスケットを複雑な形状にすることなく、扉を開ける際に、庫外の空気を庫内に侵入させることができ、庫内の圧力を上昇させることで扉を小さな力で開けることができる。
【発明を実施するための最良の形態】
【００１１】
請求項１に記載の発明は、貯蔵室の前面に断熱扉を有する冷蔵庫において、前記扉のハンドルに前記ハンドルと連動可能に連結させた押下げレバーを設け、前記ハンドルを可動可能とするとともに、開扉時に前記ハンドルの可動と連動する前記押下げレバーが前記扉の周縁に備えたガスケットを部分的に変形させることで、貯蔵室内に空気を侵入させ、開扉力を減少させるものであり、前記ガスケットを複雑な形状にすることなく、前記扉を開ける際に、庫外の空気を庫内に侵入させて、庫内の圧力を上昇させ、扉を小さな力で開けることができる。
【００１２】
請求項２に記載の発明は、請求項１に記載の発明において、ガスケットは袋部とマグネットを備え、前記押下げレバーは扉開放時に前記ガスケットの袋部を引っ掛け、前記ガスケットを変形させると同時に、マグネットをねじりながら本体側から離すものであり、前記マグネットの引き付け力を徐々に解除することができ、前記扉を小さな力で開けることができる。その結果前記マグネットが本体から離れるまでの引っ張る距離も少なくすることができる。さらに、運動量も少なくすることができ、軽く感じることができる。
【００１３】
以下、本発明の実施の形態について、図面を参照しながら説明する。なお、この実施の形態によってこの発明が限定されるものではない。
【００１４】
（実施の形態１）
図１は本発明の実施の形態１における冷蔵庫の正面図、図２は同実施の形態の冷蔵庫のハンドル機構の断面斜視図を示すものである。図３は同実施の形態の冷蔵庫のハンドル機構の断面図、図４は同実施の形態の冷蔵庫のハンドルを引っ張った状態におけるハンドル機構の断面図を示すものである。
【００１５】
図１において、冷蔵庫本体７は上から冷蔵室９、野菜室１０、切替室１１、冷凍室１２により構成されている。それぞれの庫内は外箱と内箱とで構成される箱体空間を冷蔵室扉１５、引き出し式扉１６ａ，１６ｂ，１６ｃにより密閉されることで食品を冷やす部屋を構成している。扉１は外板扉３を２つの横扉枠２により挟み込んで外観形状を形成している。また、外板扉３の中央部にコの字状に切り欠きをいれ、その切り欠き部に、ベースハンドル１７を設置し、扉１の裏側に扉内箱１８を設置して扉１を箱状にシールし、その間の空間に発泡断熱材１９を充填している。可動式のハンドル２０とハンドルカバー２１をベースハンドル１７に設置することによりハンドル機構を構成している。扉内箱１８には冷蔵庫本体７とのシール性を上げる為に、マグネット２２を内部に備えたガスケット２３を設置し、冷蔵庫本体７と扉１を密閉している。
【００１６】
また、前後に可動可能な可動式のハンドル２０の後方（貯蔵室側）には押下げレバー２４を形成し、押下げレバー２４は前後に可動可能な可動式のハンドル２０と連動している。またガスケット２３の先端には一体にマグネット挿入部２６が形成され内部にマグネット２２を備えている。
【００１７】
以上のように構成された冷蔵庫について、以下その動作、作用を説明する。
【００１８】
まず、冷蔵庫の扉を開ける際に可動式のハンドル２０を手前に引くと図４に示すように、ハンドル２０の変位に伴ってハンドル２０と連動した押下げレバー２４がガスケット２３のマグネット挿入部２６を押し下げ、そのマグネット挿入部２６を押えることでガスケット２３を変形させ、マグネット挿入部２６がねじられながら変形する。それに伴いマグネット２２が上部端面から徐々に斜めに引っ張られ、ガスケット２３と冷蔵庫本体７の間に隙間が形成される。この隙間はガスケット２３の上辺の全幅で同時に形成されず、部分的に形成される。これにより、貯蔵室内に空気を侵入させ、開扉力を減少させるものであり、ガスケットを複雑な形状にすることなく、扉を開ける際に、庫外の空気を庫内に侵入させて、庫内の圧力を上昇させ、扉を小さな力で開けることができる。
【００１９】
その結果マグネットが本体から離れるまでの押し下げる距離を少なくすることができる。さらに、運動量も少なくすることができ、軽く操作することができる。
【００２０】
なお、押下げレバー２４によるガスケット２３の変形部分に対応してマグネット２２を省略してもよい。この場合、ガスケット２３の変形部分の磁力をなくすことで、さらに確実に押下げレバー２４によるガスケット２３の変形が可能となる。
【産業上の利用可能性】
【００２１】
以上のように、本発明にかかる冷蔵庫は、ガスケットを複雑な形状にすることなく、扉を開ける際に、庫外の空気を庫内に侵入させて扉を小さな力で開けることができるものであり、ガスケットを有する冷却貯蔵庫等の用途にも適用できる。
【図面の簡単な説明】
【００２２】
【図１】本発明の実施の形態１による冷蔵庫の正面図
【図２】同実施の形態の冷蔵庫のハンドル機構の断面斜視図
【図３】同実施の形態の冷蔵庫のハンドル機構の断面図
【図４】同実施の形態の冷蔵庫のハンドルを引っ張った状態におけるハンドル機構の断面図
【図５】従来の冷蔵庫のハンドル部の平面断面図
【符号の説明】
【００２３】
１    扉
７    冷蔵庫本体
１５  冷蔵室扉
１６ａ，１６ｂ，１６ｃ  引き出し式扉
２０  ハンドル
２２  マグネット
２３  ガスケット
２４  押下げレバー
【図１】
2007178075.tif 000003
【図２】
2007178075.tif 000004
【図３】
2007178075.tif 000005
【図４】
2007178075.tif 000006
【図５】
2007178075.tif 000007